【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
電気光学画像表示装置の電力消費を削減するためのディスプレイコントローラであって、
画像の個々の画素に対応する画像データワードの集合のソースと、
電気光学画像表示装置の個々の画素に対応する画像データワードの修正後の集合を電気光学画像表示装置に使用可能にするための出力ポートと、
画像データワード集合の選択された部分集合の代わりに１個以上の隣接する画素からの画像データワードを代入し、結果として生じる修正後の画像データワード集合を電気光学画像表示装置に使用可能になるように出力ポートに提供するように作られたモード制御回路とを具備するディスプレイコントローラ。
【請求項２】
電気光学画像表示装置は２次元画像表示装置である、請求項１に記載のコントローラ。
【請求項３】
電気光学画像表示装置は液晶ディスプレイである、請求項１に記載のコントローラ。
【請求項４】
電気光学画像表示装置は２次元画像表示装置である、請求項３に記載のコントローラ
【請求項５】
画像データワードの選択された部分集合は、選択された空間周期性をもつ画像データワードの部分集合からなる、請求項４に記載のコントローラ。
【請求項６】
画像データワードが代入される隣接する画素の数は選択的に確定することができる、請求項５に記載のコントローラ。
【請求項７】
修正後の画像データワード集合のデータワードは逐次電気光学表示装置に使用可能になり、画像データワードが代入された隣接する画素はそれらが代入された画像データワードの前にくる、請求項５に記載のコントローラ。
【請求項８】
画像データワードが代入される隣接する画素の数は選択的に確定することができる、請求項７に記載のコントローラ。
【請求項９】
画像データワードの選択された部分集合は、選択された空間周期性をもつ画像データワードの部分集合である、請求項１に記載のコントローラ。
【請求項１０】
画像データワードが代入される隣接する画素の数は選択的に確定されて構わない、請求項９に記載のコントローラ。
【請求項１１】
修正後の画像データワード集合の画像データワードは逐次電気光学表示装置に使用可能になり、画像データワードが代入された隣接する画素はそれらが代入された画像データワードの前にくる、請求項１０に記載のコントローラ。
【請求項１２】
画像データワードが代入される隣接する画素の数は選択的に確定されて構わない、請求項１１に記載のコントローラ。
【請求項１３】
修正後の画像データワード集合の画像データワードは逐次電気光学表示装置に使用可能になり、画像データワードが代入された隣接する画素はそれらが代入された画像データワードの前にくる、請求項１に記載のコントローラ。
【請求項１４】
画像データワードが代入される隣接する画素の数は選択的に確定されて構わない、請求項１３に記載のコントローラ。
【請求項１５】
画像データワードのソースはメモリ及びメモリコントローラからなり、モード制御回路はディスプレイインタフェース回路からなる、請求項１に記載のディスプレイコントローラ。
【請求項１６】
メモリに画像を格納するためにデータプロセッサから画像情報を受け取るための入力ポートをさらに具備する、請求項１５に記載のディスプレイコントローラ。
【請求項１７】
入力ポートは、データを受け取り、メモリに格納するようにそのデータを画像データメモリコントローラに提供するためのホストインタフェース回路からなる、請求項１６に記載のディスプレイコントローラ。
【請求項１８】
請求項１に記載のコントローラを含み、さらに画像の個々の画素に対応する画像データワードの集合のソースに画像情報を提供するためのデータプロセッサと、出力ポートから画像データワードを受け取り表示するための電気光学表示装置とを具備するデジタル表示システム。
【請求項１９】
請求項１に記載のコントローラを含み、さらに画像の個々の画素に対応する画像データワードの集合のソースに画像情報を提供するためのカメラと、出力ポートから画像データワードを受け取り表示するための電気光学表示装置とを具備するデジタル表示システム。
【請求項２０】
電気光学画像表示装置の電力消費を削減するための方法であって、
画像の個々の画素に対応する画像データワードの集合を提供し、
画像データワード集合の選択された部分集合の代わりに１個以上の隣接する画素からの画像データワードを代入し、
代入から生じる修正後のデータワード集合を電気光学画像表示装置に使用可能にすることからなる、方法。
【請求項２１】
画像は２次元画像である、請求項２０に記載の方法。
【請求項２２】
使用可能にするのは液晶ディスプレイに適したフォーマットで行なわれる、請求項２０に記載の方法。
【請求項２３】
画像は２次元画像である、請求項２２に記載の方法。
【請求項２４】
画像データワードの選択された部分集合は、選択された空間周期性をもつ画像データワードの部分集合からなる、請求項２３に記載の方法。
【請求項２５】
画像データワードが代入される隣接する画素の数は選択的に確定される、請求項２４に記載の方法。
【請求項２６】
修正後の画像データワード集合の画像データワードは逐次電気光学表示装置に使用可能になり、画像データワードが代入された隣接する画素はそれらが代入された画像データワードの前にくる、請求項２３に記載の方法。
【請求項２７】
画像データワードが代入される隣接する画素の数は選択的に確定される、請求項２６に記載の方法。
【請求項２８】
電気光学装置の制御を行うディスプレイコントローラであって、
第１の画像データワードに基づく第２の画像データワードを電気光学装置に提供するための出力ポートと、
前記出力ポートに前記第２の画像データワードを提供するモード制御回路と、
を含み、
前記第１の画像データワードは前記電気光学装置の一部の画素である第１の画素に対応する第３の画像データワード及び前記第１の画素に隣接する画素である第２の画素に対応する第４の画像データワードを含み、
前記第２の画像データワードは、前記第３の画像データワードに、前記第４の画像データワードを代入した結果として生じることを特徴とするディスプレイコントローラ。
【請求項２９】
電気光学装置の制御を行うディスプレイコントローラの動作方法であって、
第１の画像データワードにおいて、前記電気光学装置の一部の画素である第１の画素に対応する第３の画像データワードに、前記第１の画素に隣接する画素である第２の画素に対応する第４の画像データワードを代入した結果、第２の画像データワードにするステップと、
前記第２の画像データワードを前記電気光学装置に提供するステップと、
を含むことを特徴とする方法。
【手続補正２】
【補正対象書類名】明細書
【補正対象項目名】発明の名称
【補正方法】変更
【補正の内容】
【発明の名称】ディスプレイコントローラ、その動作方法、デジタル表示システム、電気光学画像表示装置の電力消費を削減するためのディスプレイコントローラ、及び方法
【手続補正３】
【補正対象書類名】明細書
【補正対象項目名】０００６
【補正方法】変更
【補正の内容】
【０００６】
発明は、電気光学画像表示装置の電力消費を削減しつつ、なおかつ役に立つ表示を生成するための方法も提供する。この方法は、画像の個々の画素に対応する画像データワードの集合を提供し、画像データワード集合の選択された部分集合の代わりに１個以上の隣接する画素からの画像データワードを代入し、代入の結果生じる修正後のデータワード集合を電気光学画像表示装置に使用可能にすることからなる。
本発明のディスプレイコントローラの一態様は、電気光学装置の制御を行うディスプレイコントローラであって、第１の画像データワードに基づく第２の画像データワードを電気光学装置に提供するための出力ポートと、前記出力ポートに前記第２の画像データワードを提供するモード制御回路と、を含み、前記第１の画像データワードは前記電気光学装置の一部の画素である第１の画素に対応する第３の画像データワード及び前記第１の画素に隣接する画素である第２の画素に対応する第４の画像データワードを含み、前記第２の画像データワードは、前記第３の画像データワードに、前記第４の画像データワードを代入した結果として生じることを特徴とすることができる。
また、本発明のディスプレイコントローラ動作方法の一態様は、電気光学装置の制御を行うディスプレイコントローラの動作方法であって、第１の画像データワードにおいて、前記電気光学装置の一部の画素である第１の画素に対応する第３の画像データワードに、前記第１の画素に隣接する画素である第２の画素に対応する第４の画像データワードを代入した結果、第２の画像データワードにするステップと、前記第２の画像データワードを前記電気光学装置に提供するステップと、を含むことを特徴とすることができる。